(57)【要約】【課題】一つの番組を指定することで、携帯型の情報処理装置の小さな画面でも効率的に電子番組情報を表示することができる情報処理装置を提供する。【解決手段】放送信号を受信して映像信号を出力する受信部１１，１２と、この映像信号に応じる画像を表示する表示部１５と、電子番組情報を取得する取得部１１，１６と、所定チャンネルと所定時間とを示す情報を入力する入力部１９と、この所定チャンネルと所定時間とに応じて電子番組情報から一つの番組情報を抽出して表示部に表示すべく制御する制御部１８とをもつ情報処理装置であり、一つの番組情報だけを表示することで、携帯電話等の小さな表示画面でも効率的に電子番組情報を表示できる。【選択図】      図１
2005110023.tif 000002
【特許請求の範囲】
【請求項１】
放送信号を受信して映像信号を出力する受信部と、
前記受信部からの前記映像信号に応じる画像を表示する表示部と、
前記放送信号の電子番組情報を取得する取得部と、
所定チャンネルと所定時間とを示す情報を入力する入力部と、
前記入力部が入力した所定チャンネルと所定時間とに応じて前記電子番組情報から一つの番組情報を抽出して、前記表示部に表示するべく制御する制御部と、
を具備することを特徴とする情報処理装置。
【請求項２】
前記入力部は通信部を介して信号を送受信するリモコンであり、前記リモコンから前記通信部を介して与えられる所定チャンネルと所定時間とを示す信号に応じて、これに対応する一つの番組情報が前記電子番組情報から抽出されて前記表示部に表示されるべく制御されることを特徴とする請求項１記載の情報処理装置。
【請求項３】
画像を表示する表示部と、
放送信号の電子番組情報を取得する取得部と、
画像を撮像する撮像部と、
前記撮像部が撮像した画像を解析して所定情報を抽出し、この所定情報と前記電子番組表の比較処理を行い前記所定情報に対応する一つの番組情報を抽出する解析部と、
前記解析部が抽出した前記一つの番組情報を、前記表示部に表示するべく制御する制御部とを具備することを特徴とする情報処理装置。
【請求項４】
前記撮像部が撮像した前記画像の有効領域を特定するための入力を行う入力部を更に有することを特徴とする請求項３記載の情報処理装置。
【請求項５】
前記解析部は、前記撮像部が撮像した画像を解析して番組タイトルを抽出し、この番組タイトルと前記電子番組表との比較処理を行って前記番組タイトルに対応する一つの番組情報を抽出することを特徴とする請求項３記載の情報処理装置。
【請求項６】
前記解析部は、前記撮像部が撮像した画像を解析して番組タイトルを抽出し、この番組タイトルと前記電子番組表中の番組タイトルとの比較処理を行って、一定以上の類似性がある番組タイトルを有する一つの番組情報を抽出することを特徴とする請求項３記載の情報処理装置。
【請求項７】
前記解析部は、前記撮像部が撮像した画像を解析して番組コードを抽出し、この番組コードに対応する一つの番組情報を前記電子番組表から抽出することを特徴とする請求項３記載の情報処理装置。
【請求項８】
画像を表示する表示部と、
放送信号の電子番組情報を取得する取得部と、
所定チャンネルと所定時間とを入力する入力部と、
前記指定情報に応じて前記電子番組情報から一つの番組情報を抽出して、前記表示部に表示するべく制御する制御部とを具備することを特徴とする情報処理装置。
【請求項９】
前記入力部が所定チャンネルと所定時間とを指定することで、これに対応する一つの番組情報が前記電子番組情報から抽出されて前記表示部に表示し、前記一つの番組情報を予約情報としてメールで送信する通信部を更に有することを特徴とする請求項８記載の情報処理装置。
【請求項１０】
放送信号の電子番組情報を取得し、
所定チャンネルと所定時間とを示す情報を入力し、
前記所定チャンネルと所定時間とに応じた一つの番組情報を前記電子番組情報から抽出して、表示部に表示することを特徴とする情報処理方法。
【請求項１１】
放送信号の電子番組情報を取得し、
画像を撮像し、この画像を解析して抽出した所定情報と前記電子番組表との比較処理を行い、前記所定情報に対応する一つの番組情報を前記電子番組表から抽出し、
抽出した前記一つの番組情報を表示部に表示することを特徴とする情報処理方法。
【発明の詳細な説明】
【技術分野】
【０００１】
この発明は、放送受信機能やモバイル通話機能等を有する情報処理装置に関し、特に、電子番組情報（ＥＰＧ：Electric Program Guide）の表示を行う情報処理装置に関する。
【背景技術】
【０００２】
最近、テレビジョン放送のデジタル化が進み、すでにＣＳデジタル放送、ＢＳデジタル放送が放送を開始しており、地上波デジタル放送も放送開始が予定されている。デジタル放送の特徴の一つに、電子番組表（ＥＰＧ）の利用ということがある。これは放送波に番組表を電子化した情報を載せて送信し、これを受信機で表示して番組の視聴予約や録画予約を行うことができるようにする技術である。一般的なＥＰＧの表示形態としては、縦軸に時間、横軸にチャンネル（又はその逆）をとり、格子状のエリアに番組名などを表示するようなものがある。テレビジョン受信機の画面サイズにより全チャンネル、全時間帯の情報を一元的に表示することは困難であり、数チャンネル、数時間分の情報が一元的に表示される。視聴者は表示された中から番組を選択して視聴や録画予約などを行うが、所望の番組が現在表示されている画面にない場合には左右、上下方向にスクロールしてチャンネルの変更や時間帯の変更を行って所望の番組を表示し、視聴予約や録画予約を行う。
【０００３】
さて、デジタル放送は固定のテレビジョン受信のみではなく、モバイル用のＴＶ受信機や携帯電話にＴＶチューナをつけたものなどで受信して表示できるような低レートの番組提供も行われる予定になっている。しかし、ＥＰＧについては前述のような格子状のＥＰＧを表示仕様とすると画面が細かくなりすぎて識別できないようなものとなってしまうため、何らかの対策が要望されている。
【０００４】
特許文献１は、番組情報を見やすくするため、全ての番組情報を表示するのではなく、サッカー等のキーワードを検索情報として入力し、これに対応した番組情報だけを画面表示するものである。これにより、全ての番組情報を表示する場合に比べ、ユーザの希望する情報だけを効率的に表示することができる。
【特許文献１】特開２００１−２６８０２８号公報。
【発明の開示】
【発明が解決しようとする課題】
【０００５】
しかし、上記した従来技術では、モバイル型のＴＶ受信機や携帯電話の表示画面サイズは小さく有効画素も少ないためいため、複数の番組情報が表示されると文字がつぶれる等、ユーザが分かりやすく表示することが困難であるという問題がある。
【０００６】
又、このような小さい画面サイズに合わせて表示する範囲を小さくするなどした場合には、所望の番組にたどり着くまでにスクロールする時間が長くなり、この結果、データの取得や表示を継続して行うこととなるため時間的なロスも多く、所望の番組に到達するのにストレスを感じるという問題がある。
【０００７】
本発明は、時間情報やチャンネル情報を入力して一つの番組を指定することで、携帯型の情報処理装置の小さな画面でも、効率的に電子番組情報を表示することができる情報処理装置を提供することを目的とする。
【課題を解決するための手段】
【０００８】
本発明は、放送信号を受信して映像信号を出力する受信部と、前記受信部からの前記映像信号に応じる画像を表示する表示部と、前記放送信号の電子番組情報を取得する取得部と、所定チャンネルと所定時間とを示す情報を入力する入力部と、前記入力部が入力した所定チャンネルと所定時間とに応じて前記電子番組情報から一つの番組情報を抽出して、前記表示部に表示するべく制御する制御部とを具備することを特徴とする情報処理装置である。
【０００９】
又、本発明は、画像を表示する表示部と、放送信号の電子番組情報を取得する取得部と、画像を撮像する撮像部と、前記撮像部が撮像した画像を解析して所定情報を抽出し、この所定情報と前記電子番組表の比較処理を行い前記所定情報に対応する一つの番組情報を抽出する解析部と、前記解析部が抽出した前記一つの番組情報を、前記表示部に表示するべく制御する制御部とを具備することを特徴とする情報処理装置である。
【発明の効果】
【００１０】
本発明は上述したように、取得した全ての電子番組情報を画面に表示するのではなく、指定したチャンネルと時間とに対応する一つの番組情報だけを、画面に表示するものである。これにより、表示する情報は一つの番組情報だけの少ない容量となるため、携帯電話やモバイルテレビのように画面が小さい情報処理装置においても効率的に表示することが可能となる。
【００１１】
又、更に、本発明は、例えば、カメラ付携帯電話等の情報処理装置を用いて、新聞や雑誌の番組欄の画像を取得し、この画像から、所望の番組タイトルを選択して、この番組タイトルと、事前に取得していた電子番組情報が含むタイトルとを比較処理するものである。その結果、最も近似しているタイトルを有する番組情報を抽出し、この番組情報だけを画面に表示するものである。これにより、携帯電話やモバイルテレビのように画面が小さい情報処理装置においても直感的な操作により、電子番組情報を利用した予約処理等を行うことが容易となる。
【発明を実施するための最良の形態】
【００１２】
以下、本発明に係る情報処理装置について、図面を用いて以下に詳細に説明する。
【００１３】
＜本発明に係る第１実施形態＞
第１実施形態は、受信部と表示部と電子番組情報の取得部とを有する情報処理装置において、チャンネルや時間に関する情報を入力することで、電子番組情報から一つの番組情報を表示部に表示する情報処理装置を提供する。図１は、本発明の第１実施形態に係る情報処理装置の構成の一例を示すブロック図、図２は、本発明の第１実施形態に係る情報処理装置の外観の一例を示す外観図、図３は、本発明の第１実施形態に係る情報処理装置の構成の他の一例を示すブロック図である。又、図１２は、本発明に係る情報処理装置が扱う電子番組情報であるＥＩＴの構造を示す説明図、図１３は、本発明の第１実施形態に係る情報処理装置の処理方法の一例を示すフローチャートである。
【００１４】
（構成）
本発明に係る情報処理装置１は、例えば、デジタル地上波やＣＡＴＶ等を受信する受信機能を有するモバイル型受信装置である。本発明に係る情報処理装置１は、図１において、アンテナからの信号を受け、衛星放送やデジタル地上波放送、ＣＡＴＶ等で放送される番組の一つを選局して受信するチューナ１１を、データバス２０に接続されて有しており、更に、チューナ１１で選局されたトランスポートストリーム（ＴＳ）のデマックスやＭＰＥＧの復号を行うＴＳ及びＭＰＥＧ処理部１２と、復号された映像信号のグラフィック処理を行うグラフィック処理部１３を、データバス２０に接続されて有している。
【００１５】
又、更に、情報処理装置１は、上述したＴＳ及びＭＰＥＧ処理部１２から電子番組情報であるＥＰＧ情報を取得するＥＰＧ処理部１７を有しており、ＥＰＧ情報処理部１７は、後述するように、ＥＰＧ情報を取得するだけでなく、制御部１８の制御下において、入力部１９からのチャンネルや時間に関する情報に応じた番組情報を抽出して混合器１４に供給する働きをも有している。又、情報処理装置１は、ＥＰＧ処理部１７からの出力と先のグラフィック処理部１３との出力が、供給される混合器１４と、混合器１４により選択された画像信号が出力されこれに応じた画像が表示される表示部１５とを有している。
【００１６】
又、更に、情報処理装置１は、データバス２０を介して接続され、全体の動作を司る制御部１８と、制御部１８に指示信号や操作信号等を供給し、更に、操作情報等を制御部１８から受けてこれを液晶画面や発光ダイオード等に表示する入力部１９とを有している。入力部１９は、ユーザから操作指示を受けたり、簡単な操作表示を示したりするものであり、受信装置１上の操作スイッチや後述するリモコン等である。
【００１７】
ここで、ＴＳ及びＭＰＥＧ処理部１２で分離されたＥＰＧに関する情報は、後に詳述するように、ＥＰＧ処理部１７に入力され、バスを介した制御部１８からの制御により所望のチャンネルと時間のＥＰＧ画面を構成する。構成されたＥＰＧ情報は混合器１４に入力され、所定の割合でＡからの入力とＢからの入力が合わさり、表示部１５にＥＰＧ画面が表示される。混合器１４はそのＡ、Ｂの混合割合を１００％と０％、０％と１００％とすることによりセレクタとしても動作する。又、制御部１８は、情報処理装置１の全体の制御を行うものであり、制御バス２０を介して各ブロックからの情報入力や各ブロックの制御を行う。
【００１８】
（動作）
次に、本発明に係る情報処理装置１の動作について、図２の外観図と、図１２の電子番組情報であるＥＩＴの構造を示す説明図、図１３のフローチャートを用いて、詳細に説明する。
【００１９】
本発明に係る情報処理装置１は、一例として、図２に示すような、モバイル用途のデジタル放送受信機１であり、表示画面１５と、操作用のボタンである入力部１９とを有している。操作用のボタンは、例えば、電源のオン／オフボタンやチャンネル指定用の数字ボタン、時間ボタン、分ボタン、音量等のコントロールボタンや、チャンネルアップ、チャンネルダウンのボタン等から構成される。通常の番組の視聴は電源ボタンを押すことにより電源が入り、例えば、前回選局していたチャンネルが画面に表示され、他のチャンネルを視聴したい場合はチャンネル選局ボタンで指定して視聴する。
【００２０】
さて、番組の視聴をＥＰＧから行う場合は、例えば、「番組案内」、「ＥＰＧ」、「番組ガイド」等の操作キーを押してＥＰＧ画面を表示させるのが一般的であり、ここではこれらのキーに相当するキーを（＊）で表現している。
【００２１】
この（＊）キーを押すと通常現在時刻を基準としたＥＰＧ画面が表示される。又、基準となるチャンネルは現在受信しているチャンネルであるのが一般的である。
【００２２】
本実施形態では、この（＊）キーの入力に続いて（１）〜（１２）のキーを入力することで、所望のチャンネルの所望の時刻のＥＰＧ情報をダイレクトに表示可能である。例えば現在時刻が昼の１２時で視聴しているチャンネルが４ｃｈであるとすると、ＥＰＧを表示させるために（＊）キーを押すと、４ｃｈの１２時の番組ガイドを表示される。ここで、例えば、『１０ｃｈの９時からの番組』を確認したい場合には、一般的な方法として、その画面からアップダウンキーなどで画面をスクロールしていき、チャンネルについてもスクロールしていくことで表示させることができるが、操作が煩雑であり時間がかかるとともに、制御部への負担も大きいものとなる。
【００２３】
そこで、ここでは、（＊）＋（１０）＋（９）と入力することで、チャンネル情報と時刻情報とが入力されることとなり、図２に示すように、現在の受信チャンネルとは無関係に、直接１０チャンネルの９時からの番組ガイドを表示させることができる。又、ここで、時間と分の指定を専用のキーを用いて、（数字）＋（Ｈ）＋（数字）＋（Ｍ）と入力することも好適である。
【００２４】
これらの処理を図１２のＥＩＴの説明図と図１３のフローチャートを用いて、更に詳細に説明する。図１３において、情報処理装置１は、ユーザの操作により、又は、予め設定されたタイミングで、チューナ１１とＴＳ及びＭＰＥＧ処理部１２との働きにより、ＥＰＧ情報を取得する。このＥＰＧ情報のタイミングは、起動時であってもよいし、放送番組の視聴がなされていない時に、自動的に行われるものでもよい。又、早朝等、一般に放送番組が知長されている可能性が低い時刻に予め決めておいて、自動的に取得することが好適である。
【００２５】
このようにして制御部１８の制御において、チューナ部１１とＴＳ・ＭＰＥＧ処理部１２とＥＰＧ処理部１７の働きにより、ＥＰＧ情報である、図１２に示すようなＥＩＴ（イベント情報テーブル）を取得して、例えば、制御部１８内の図示しない記憶領域や、ＥＰＧ処理部１７の図示しない記憶領域に格納する(Ｓ１１)。このとき、ＥＰＧ処理部１７又は制御部１８の働きにより、ＥＩＴが先に用いたＥＩＴよりも新しいものであれば(Ｓ１２)、新しいＥＩＴから、番組情報（Event id, start time, duration等）を取得する(Ｓ１３)。そして、この番組情報をメモリ等に記憶し、チャンネル毎にリストを作成する（Ｓ１４）。
【００２６】
次に、上述したように（＊）キーや数字キー等を用いて、一つの時間とチャンネルとが指定されると（Ｓ１５）、指定された時間とチャンネルとに該当する番組が、チャンネル毎のリストの中から検索される（Ｓ１６）。ここで、ＥＩＴ情報のうち、一つのEvent idの時間情報は、start timeとdurationとから求められ、チャンネル情報は、transport stream idから求められる。そして、指定された時間とチャンネルの番組が存在すれば（Ｓ１７）、その番組のEvent idを特定し、その番組情報を例えば図２に示すように表示する（Ｓ２１）。
【００２７】
一方、指定された時間の番組がなければ（Ｓ１７）、それに近い時間の番組がリストの中から自動的に検索される（Ｓ１８）。ここでは、時間のズレに対して、例えば、１５分等と許容範囲を設けて、その時間内のずれであれば、許容範囲内の番組情報を、表示部１５に表示するものである（Ｓ２０）。又、許容範囲を超える時間のずれがある番組情報は、表示せず、番組がないことを表示する（Ｓ１９）。
【００２８】
このように本発明の第１実施形態に係る画像処理装置においては、直接表示したいＥＰＧ画面の情報（例えば、一つの番組情報）をキー入力（チャンネル情報と時刻情報）により指定できるようにすることで、いちいち画面スクロールを行う手間やストレスを解消することが可能である。
【００２９】
又、図５で後述するように、映像情報を記録するハードディスク等の記録部５２と、予約情報を格納するメモリ５３等を設けることにより、先に表示した、例えば、一つの番組情報に対して、ユーザが録画処理、又は、録画予約処理を行うべく操作することで、制御部１８の制御下において、録画処理、又は、録画予約処理が可能となる。
【００３０】
（リモコンの利用）
又、第１実施形態において、上述した図１の例は、表示部１５と入力部１９とが一つの筐体の中に設けられている場合だが、操作する入力部１９がリモコンとしてディスプレイ部と分離したテレビジョン受信機でも、同様の処理が可能となる。図３は、この時の情報処理装置１の一例を示しているが、入力部１９の代わりに通信部２２を介して、リモコン２３が設けられている。
【００３１】
リモコン２３は、例えば、図２の外観図からディスプレイ部１５を取り除いた場合とほぼ同等の構成を有しており、キー入力等の操作は、図２で上述した例と同等に行われる。
【００３２】
又、リモコン２３は、キー入力部と、制御部、通信部、解析部とを有している。ここで、キー入力部は、図１の情報処理装置１と同等の構造と機能を有しており、制御部は、全体の動作を司っており、通信部は、図３の情報処理装置１の通信部２２と同等のプロトコルで予め定められたコードにより通信を行うべく、所定の信号を所定のコードにコード化し、受信したコードをデコードする機能を有しており、解析部は、例えば、後述する番組コードを解析して少なくともチャンネル情報と時間情報とを出力する機能を有している。
【００３３】
リモコン２３を利用して入力した場合でも、図１の本体の入力部１９を用いて入力した場合と同等に、リモコン２３の入力部から入力された所望のチャンネル情報と時間情報とが、通信部によりコード化された信号に変換されて、リモコン２３から、本体１の通信部２２に送信される。その後、制御バス２０を介してＥＰＧ処理部１７に伝えられる。ＥＰＧ処理部１７では、上述した手順により、指定されたチャンネルの指定時刻のＥＰＧ情報が表示部１５に表示される。
【００３４】
リモコン２３は、又、更に、例えば、Ｇコード等のコード番号を直接入力することができ、入力されたコード番号は、解析部により、少なくともチャンネル情報と時間情報とに変換され、通信部に供給され、通信部では、このチャンネル情報と時間情報をリモコンのプロトコルのコードへと変換して、本体である図３の情報処理装置１の本体１の通信部２２に送信する。その後は、制御バス２０を介してＥＰＧ処理部１７に伝えられる。ＥＰＧ処理部１７では、上述した手順により、指定されたチャンネルの指定時刻のＥＰＧ情報が表示部１５に表示される。
【００３５】
又、リモコン２３や図１の情報処理装置１の入力部１９の操作について、ボタンの数を減らして同等の操作を行う際の方法として、（＊）のキー入力からチャンネルの情報を入力する際に、キー入力の時間間隔を計測し、所定の間隔以内であれば、次にチャンネルの入力や時間帯の入力が続いていると判断し、所定間隔以上キー入力の間があけば、キー入力は終了したと判断するようなアルゴリズムとすることが好適である。
【００３６】
又、他の方法として、（＊）＋（１０）＋（９）＋（＊）でチャンネル＋時刻のＥＰＧ表示入力を意味し、（＊）を２回押すと、単なるＥＰＧ表示を意味する等の定義を与え、これにより、操作することも好適である。
【００３７】
＜本発明に係る第２実施形態＞
第２実施形態は、表示部と撮像部と電子番組情報の取得部とを有する情報処理装置において、撮像部からの画像により特定情報を入力することで、電子番組情報から所望の番組情報を表示部に表示する情報処理装置を提供する。図４は、本発明の第２実施形態に係る情報処理装置の構成の一例を示すブロック図、図５は、本発明の第２実施形態に係る情報処理装置と通信を行う情報処理装置の構成の一例を示すブロック図、図６は、本発明の第２実施形態に係る情報処理装置の画像の取得方法の一例を示す説明図、図７乃至図９は、本発明の第２実施形態に係る情報処理装置のタイトルの特定方法の一例を示す説明図、図１４は、本発明の第２実施形態に係る情報処理装置の処理方法の一例を示すフローチャートである。
【００３８】
（構成）
第２実施形態で用いられる情報処理装置の一例としては、例えば、携帯電話機のような構成を有するものであるが、これに限るものではない。第２実施形態で用いられる情報処理装置４は、図４において、情報を入力するためのテンキーやジョグダイヤル等の入力部４１と、ＣＣＤカメラ等の撮像部４６と、撮像部４６で撮像した画像を解析する情報解析部４２と、コード情報を生成するコード生成部４３と、操作情報や電子番組情報を表示する液晶画面等の表示部６２とを有している。更に、情報処理装置４は、外部の情報処理装置１である受信機と通信を行ったり、図１５に示す基地局３００と通信することで他の移動局３０１と通話を行うことができる通信部・通話部６１と、携帯電話機能として用いられるスピーカ・ボコーダ部６３と、更に、全体の動作を司る制御部４４とを有している。
【００３９】
更に、このような情報処理装置４から予約情報等を送信されて、予約録画処理等を行うことができる、例えば、デジタルテレビジョン装置等の情報処理装置１が、図５に示されている。情報処理装置１は、図５において、図１に示した情報処理装置１とほぼ同様の構成を有しており、共通部分は説明を省略する。すなわち、図５に示す情報処理装置１は、更に、図４の情報処理装置４と無線通信を行うための通信やＬＡＮ等の通信を行う通信部５１と、予約リスト等が格納される記憶領域であるメモリ部５３と、デジタル地上波等の放送の映像情報を予約録画して記録するための、例えば、ハードディスクドライブ等の記録部５２等を、それぞれ、データバス２０に接続されて有している。
【００４０】
（動作）
上述した構成を有する情報処理装置４において動作説明を行うが、図１３のフローチャートのステップＳ１１と同様に、初めに、電子番組情報を取得するが、これは第１実施形態で上述したように、自動的に行うことが好適である。そして、図６乃至図９の説明図と図１４のフローチャートが示すように、初めに、ピックアップモードが選択されて撮像部４６による番組情報の取得が行われる場合は（Ｓ３１）、図６に示すように、ユーザは、新聞や雑誌等の番組欄の画像を撮像部４６により取得する（Ｓ３２）。その後、キー操作により、画像の領域を特定して、取得すべき番組のタイトル情報を抽出させる（Ｓ３３）。このとき、図７に示すように、簡易的に、縦方向の領域設定だけで、画像領域を特定することも好適であるし、又、図８のように、縦方向と横方向との領域を設定して、確実にタイトル情報の領域を特定することも好適である。又、後述するように、番組のタイトルではなく、Ｇコード等の数字の領域を特定して、抽出することも好適である。
【００４１】
情報解析部４２では、制御部４４の制御下において、先に特定された領域の画像情報に対して２値化処理等を施し、文字画像の輪郭を識別する。更に、この文字画像に関して、情報解析部４２が有する文字識別のためのデータベースと比較処理を行うことにより、文字情報としてタイトル情報を識別する。その後、識別したタイトル情報と、保存されている電子番組情報のＥＩＴ中のタイトル情報とを、逐一、比較処理を行う。
【００４２】
情報解析部４２では、図６のように撮影された画像をそのまま順次スキャンしてタイトル部分を解析することも可能であり、これは数字００や４．５０などのあとに続くものがタイトルであると認識し、上記と同様にデータベース検索を行う。図６のような場合に、全部で３番組分の情報が表示されているが、５０の数字に続くタイトルを第１の候補として上記処理を行うものである。
【００４３】
なお、ここでの電子番組情報のＥＩＴは、図１３のフローチャートのステップＳ１１乃至Ｓ１４の工程と同等の工程により取得され保存されるものであり、図１４のフローチャートのステップＳ３１の手前に行われるべき工程である。
【００４４】
ステップＳ３４の比較処理により、電子番組情報のＥＩＴ中から、同一、又は、一定値以上の類似性をもつタイトル情報を検出できたかどうかを判断する（Ｓ３５）。ここで、番組のタイトル情報の同一性の判断について、一定の許容量（例えば、７０％）を設けることにより、例えば、図７で示したように、タイトルの領域を設定する場合でも、ある程度の許容性が生じる。同一、又は、近いタイトルがあれば、その番組ＩＤを表示し（Ｓ３６）、見つからなければ、番組ＩＤが見つからないことを表示する（Ｓ３９）。
【００４５】
ステップＳ３６で番組ＩＤが表示部に表示された後に、ユーザからの決定を意味する決定キーの操作があれば（Ｓ３７）、情報処理装置４は、この番組ＩＤに基づき、番組を受信したり、図４の情報処理装置４がハードディスクドライブ等を更に有する構成であれば、予約録画を行ったりする。又、更に、情報処理装置４は、この番組情報を、例えば、通信部６１を介して、図５で示したような受信装置である情報処理装置１に送信し、これにより録画予約を行うことが可能である（Ｓ３８）。
【００４６】
なお、ここで、図９が示すように、Ｇコード等の番号情報を扱うものであれば、ステップＳ３３の段階で、同様に、情報解析部４２では、制御部４４の制御下において、先に特定された領域の画像情報に対して２値化処理等を施し、コード番号の文字画像の輪郭を識別する。更に、このコード番号に対して、情報解析部４２に予め用意したデータベースを解析することにより、対応するチャンネル情報と時間情報とを識別する。その後、このチャンネル情報と時間情報に応じた情報が、電子番組情報のＥＩＴ中から検出できたかどうかを判断する（Ｓ３５）。対応する番組情報があれば、その番組ＩＤを表示し（Ｓ３６）、見つからなければ、番組ＩＤが見つからないことを表示する（Ｓ３９）。
【００４７】
ステップＳ３６で番組ＩＤが表示部に表示された後に、ユーザからの決定を意味する決定キーの操作があれば（Ｓ３７）、情報処理装置４は、この番組ＩＤに基づき、番組を受信したり、図４の情報処理装置４がハードディスクドライブ等を更に有する構成であれば、予約録画を行ったりする。又、更に、情報処理装置４は、この番組情報を、例えば、通信部６１を介して、図５で示したような受信装置である情報処理装置１に送信し、これにより録画予約を行うことが可能である（Ｓ３８）。
【００４８】
又、第２実施形態に係る情報処理装置４は、このような実施形態に限らず、例えば、事前に一定のルールでチャンネル情報と時間情報にバーコード情報を関係づけて定義しておき、新聞や雑誌などの紙媒体で番組紹介とともにバーコード情報を表示させるものである。そして、撮像部４６でこのバーコード情報を読取った後に、情報解析部４２によりチャンネル情報と時間情報が抽出される。その後、チャンネル情報と時間情報は、コード生成部４３にデータバス経由で供給され、上述したルールに応じて、コード化されて、通信部４５を介して、図５で示すような受信機である情報処理装置１に転送されて、受信処理や予約録画処理を行うことができる。
【００４９】
このようなバーコード情報は、番組ガイド欄として表示される必要はなく、例えば、アーティスト特集の記事に対して、そのアーティストが出演する番組をバーコードで表記しておき、上述の方法により入力可能にすることで、ある記事からのリンク情報としても活用できる。
【００５０】
このように、本発明の第２実施形態に係る情報処理装置によれば、携帯電話等の情報処理装置４のＣＣＤカメラ等の撮像部４６を用いることで、新聞や雑誌等の番組情報から直感的な操作により、所望の番組情報を取り込むことが可能となり、受信処理や予約録画処理を容易に行うことが可能となる。
【００５１】
＜本発明に係る第３実施形態＞
第３実施形態は、表示部と電子番組情報の取得部とを有する情報処理装置において、チャンネルや時間に関する情報を入力することで、電子番組情報から一つの番組情報を表示部に表示する情報処理装置を提供する。図１０は、本発明の第３実施形態に係る情報処理装置の構成の一例を示すブロック図、図１１は、本発明の第３実施形態に係る情報処理装置の操作方法の一例を示す説明図である。
【００５２】
（構成と動作）
即ち、第３の実施形態では、例えば、携帯電話等の情報処理装置６により、ネットワーク経由で番組の予約を行う場合を示しており、情報処理装置６は、図１０において、情報を入力するためのテンキーやジョグダイヤル等の入力部４１と、情報を解析する情報解析部４２と、コード情報を生成するコード生成部４３と、操作情報や電子番組情報を表示する液晶画面等の表示部６２とを有している。更に、情報処理装置６は、外部の情報処理装置１である受信機と通信を行ったり、図１５に示す基地局３００と通信することで他の移動局３０１と通話を行うことができる通信部・通話部６１と、携帯電話機能として用いられるスピーカ・ボコーダ部６３と、更に、全体の動作を司る制御部４４とを有している。
【００５３】
このような構成を有する情報処理装置６は、ネットワーク経由で番組の予約を行うものであり、例えば携帯電話などで実現され、携帯電話としての電話機能、電話回線を使用したネットワーク通信機能を持っており、音声による通話の他、メール、インターネットへのアクセス等を行うことができる。
【００５４】
第３の実施形態に係る図１０に示す情報処理装置６は、第１の実施形態に係る図１に示す情報処理装置１のように、チューナ部１１等を有してはいないが、通信部・通話部６１を有しており、インターネット等のネットワークを介して電子番組情報を取得するものである。
【００５５】
その後の処理は、第１実施形態の動作を示す図１３のフローチャートのステップＳ１１乃至ステップＳ２１と同等の処理を行うものである。即ち、例えば、入力部４１から第１の実施形態のように（＊）＋（８）＋（９）のような入力があったとする。これは８チャンネルの９時からのＥＰＧを表示せよという命令であり、制御装置４４は情報処理装置６を駆動してインターネットに接続し、ＥＰＧの配信サイト（図示せず）に接続し、チャンネルと時刻の情報を通知し、対応するＥＰＧ情報を取得する。このＥＰＧ情報は表示部６２に通知され、画面上に所望のＥＰＧ画面が表示される。又、図１１には、他の入力の例が挙げられ、ここで、（Ｆ）＋（９）＋（１０３）のような入力があり、時刻９時以降の１０３チャンネルの一つの番組情報が特定され、表示されている例が示されている。
【００５６】
又、更に、第３実施形態の情報処理装置６に特徴的な実施形態として、表示された内容を確認した後、入力部４１から予約することを示すキー入力が行われると、このＥＰＧ情報又はチャンネルと時刻の情報を含んだメールが作成され、情報処理装置６から送信され。インターネット経由で先の受信装置に送られる。このような動作は、制御部４４の記憶領域にプログラムが記憶されていることで実現される。
【００５７】
なお、ここで、情報を送る方法は、ここでのメールの利用に限らず、メールサーバにメールを送る場合や、ＦＴＰ等で直接通信を行う場合も、同様に好適な実施形態である。
【００５８】
以上、説明したように、第３実施形態に係る情報処理装置の場合は、第１実施形態と異なり、放送信号の受信機能を有していないが、第１実施形態と同様に、電子番組情報を取得してその全てを表示するのではなく、与えられたチャンネル情報や時間情報に基づいて、一つの番組情報（又は一部の番組情報）だけを表示するものである。これにより、モバイルできる小型の情報処理装置の小さい画面であっても、画面のスクロールのたびに発生する通信が不要となり、所望の番組のＥＰＧを表示するまでに必要な時間が短縮され、更に通信量が減るため、定額契約でない場合には通信料金の節約にもなる情報処理装置を提供することができる。
【００５９】
＜本発明の第４の実施形態に係る情報処理装置＞
第４実施形態は、第２実施形態や第３実施形態のように、例えば、より詳細な構成を示している携帯電話等の通信機能を有する情報処理装置を提供するものである。図１５は、本発明の第４実施形態に係る情報処理装置の構成の一例を示すブロック図、図１６は、本発明の第４実施形態に係る情報処理装置の移動型通話部の構成の一例を示すブロック図である。
【００６０】
本発明に係る情報処理装置１０１においては、図１５に示すように、一例として、地上デジタル放送である通常の高画質な放送（１３セグメント放送）と、主に携帯ＴＶ受信機向けの低データレート放送（１セグメント放送）とを受信し、更に、放送信号から電子番組情報であるＥＰＧ（Electric Program Guidance）情報を取得するチューナ部１１１と、これらをそれぞれ復調する復調部１１２とがバスラインに接続されて設けられている。更に、静止画像や動画像を取り込むためのＣＣＤ部１１３と、チューナ部１１１・復調部１１２で取り込んだ放送画像情報やＣＣＤ部１１３で取り込んだ静止画像情報、動画像情報等の画像処理を行う画像処理部１１４とを有している。更に、ゲームアプリケーション等の各種プログラム等を格納するメモリ部１１７がバスラインに接続されて設けられている。更に、移動電話機能のための移動型通話部２００をバスラインに接続されて有している。
【００６１】
更に、全体の動作を司るＭＰＵ１１５と、ユーザの操作指示を受ける操作部１１６とをバスラインに接続されて有している。なお、このＭＰＵ１１５は、メモリ部１１７のプログラム等と共に動作することで、上述した第１実施形態乃至第３実施形態の電子番組情報の抽出表示機能を有している。更に、情報処理装置１０１は、外部から着脱可能な記録媒体を接続するための外部メモリ部１１８を有している。更に、記録すべき画像情報や音声情報等、アプリケーションプログラム等を格納するハードディスクドライブ１１９と、静止画や動画の映像情報を処理して出力する映像出力部１２０と、これに接続して映像を表示するＬＣＤ（Liquid Crystal Display）モニタ部１２１と、音声信号を処理してスピーカ・ボコーダ部１２３と音声信号のやり取りをする音声入出力部１２２と、上述した第２実施形態に用いられるＣＣＤカメラ等の撮像部１２４とを有している。
【００６２】
又、本発明に係る情報処理装置の他の実施形態としては、モバイルＴＶとして、ノートＰＣ等の機器にデジタル放送受信のためのチューナカード等のアダプターを接続することにより携帯ＴＶ受信機として機能させることも好適である。この場合、チューナカード内の復調処理は、１３セグメント放送、１セグメント放送のどちらにも対応できるものとする。又、チューナカードから出力される圧縮符号化された映像や音声のデコードは、ノートＰＣのＣＰＵによるソフトウェアにより行う。通常１３セグメント放送と１セグメント放送とは圧縮符号化の方式が異なるが、ソフトウェアを切り替えることで、どちらの場合もデコードできるものとする。
【００６３】
更に、図１６を用いて、上述した移動電話機能のための移動型通話部２００の構造を説明する。移動型通話部２００は、アンテナ２０１と、デュプレクサ２０２と、ＲＦ受信利得可変増幅器２０３と、ＲＦ帯域制限フィルタ２０４と、周波数変換器２０５と、ＩＦ帯域制限フィルタ２０６と、ＩＦ受信利得可変増幅器２０７と、変調・復調部２０８と、ＩＦ送信利得可変増幅器２１１と、周波数変換器２１２と、ＲＦ帯域制限フィルタ２１３と、ＲＦ送信利得可変増幅器２１４と、電力増幅器２１５と、アイソレータ２１６と、ボコーダ１２３と、スピーカ１２３とを有している。
【００６４】
又、変調・復調部２０８は、例えば直交復調部２８１と、Ａ／Ｄ変換部２８２と、情報信号復調部２８３と、復号化部２９２とからなり、更に、ボコーダからの信号を暗号化する暗号化部２８９と、情報信号変調部２８４と、Ｄ／Ａ変換部２８５と、直交変調部２８６とにより構成される。この構成において、直交復調部２８１で直交復調された信号はＡ／Ｄ変換部２８２でＡ／Ｄ変換され、信号復調部２８３で情報信号復調されて、復号化部２９２により復号されて出力される。
【００６５】
この移動型通話部２００はこのような構成において、受信処理について説明すると、基地局３００から送信されるフォワードリンク信号はアンテナ２０１で受信、デュプレクサ２０２で受信信号帯域内の成分だけフィルタリングされ、ＲＦ受信利得可変増幅器２０３で増幅あるいは減衰され、ＲＦ帯域制限フィルタ２０４で不要成分をフィルタリングされ、周波数変換器２０５でＲＦ帯からＩＦ帯へ周波数変換され、ＩＦ帯域制限フィルタ２０６で不要成分をフィルタリングされ、ＩＦ受信利得可変増幅器２０７で増幅あるいは減衰され、変調・復調部２０８へ入力する。
【００６６】
又、ここで、情報取得部２０２は、周波数変換器２０５，２１２にそれぞれ接続され、音声情報以外の、例えば、インターネット上のブラウザ情報やゲーム等のアプリケーション情報、電子番組情報であるＥＰＧ情報を周波数変換器２０５を経由して取得したり、画像情報や操作情報を周波数変換器２１２を経由して送信することができる。又、情報取得部２０２は、図示しないデータバスを介して、制御部であるＭＰＵ１１５等に接続されている。
【００６７】
又、変調・復調部２０８は、例えば直交復調部２８１と、Ａ／Ｄ変換部２８２と、情報信号復調部２８３と、情報信号変調部２８４と、Ｄ／Ａ変換部２８５と、直交変調部２８６で構成される。
【００６８】
ここで、暗号化部２８９と復号化部２９２とは、共通の暗号鍵情報で暗号化され復号されることが好適であり、暗号化処理により通話される音声情報の不当な傍聴を防止するものである。しかし、厳密には、送信側の移動型通話部からの暗号化のための暗号鍵情報と受信側の復号化部２９２との鍵情報が共通であればよい。
【００６９】
この構成を有する移動型通話部２００の受信処理について以下に説明すると、直交復調部２８１で直交復調された信号はＡ／Ｄ変換部２８２でＡ／Ｄ変換され信号復調部２８３で情報信号復調され、更に復号化部２９２で復号されて音声としてスピーカ２３に出力される。
【００７０】
又、更にこの移動型通話部２００の送信処理について以下に説明すると、移動局から送信されるリバースリンク信号はボコーダ２８７により与えられ、これを暗号化部２８９にて暗号化する。この暗号化された暗号化信号は、情報信号変調部２８４で変調されて出力されＤ／Ａ変換部２８５でＤ／Ａ変換、直交変調部２８６で直交変調され、ＩＦ送信利得可変増幅器２１１で増幅あるいは減衰され、周波数変換器２１２でＩＦ帯からＲＦ帯へ周波数変換され、ＲＦ帯域制限フィルタ２１３で不要成分をフィルタリングして、ＲＦ送信利得可変増幅器２１４で増幅あるいは減衰され、電力増幅器２１５で増幅され、アイソレータ２１６を介してデュプレクサ２０２で送信信号帯域内の成分だけフィルタリングされて、アンテナ２０１で空間へ送信されるものである。
【００７１】
本発明に係る情報処理装置１０１は、上述したような構成により、ＭＰＵ１５の制御下において、チューナ部１１、復調部１２の働きにより、デジタル地上波等のテレビ放送の受信、この受信した放送信号のＨＤＤ１９等への記録、記録されている放送信号や外部から提供された動画ファイルの再生を行うことができる。更に、同様に、ＭＰＵ１５の制御下において、ＣＣＤ部１３から取得した映像信号をＨＤＤ１９等へ記録し、記録された動画ファイルを再生することができる。同様に、チューナ部１１、復調部１２の働きにより、ラジオ放送等の受信と記録が可能であり、更に、復調部１２や音声入出力部２２の働きにより、ＨＤＤ１９等に格納された音声ファイル等の再生を行うものである。同様に、静止画の記録や再生も同様に行うことができる。更に、メモリ部１７やＨＤＤ１９に格納されたプログラムに応じて、動画像や音声中心のビデオゲームや、静止画像中心のテーブルゲームをプレイすることが可能である。又、更に、ＭＰＵ１５の制御下において、上述した移動型通話部２００の働きにより、移動型電話機能を用いて他の電話機と通話をすることが可能となる。又、他のアプリケーションプログラムをＨＤＤ１９等に格納して、ＭＰＵ１５等の制御下により動作させることで、任意の機能を発揮できるものである。
【００７２】
このような構成によっても、上述した場合と同等の趣旨で、第１実施形態乃至第３実施形態に示した電子番組情報の表示機能等を可能とするものである。
【００７３】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００７４】
【図１】本発明の第１実施形態に係る情報処理装置の構成の一例を示すブロック図。
【図２】本発明の第１実施形態に係る情報処理装置の外観の一例を示す外観図。
【図３】本発明の第１実施形態に係る情報処理装置の構成の他の一例を示すブロック図。
【図４】本発明の第２実施形態に係る情報処理装置の構成の一例を示すブロック図。
【図５】本発明の第２実施形態に係る情報処理装置と通信を行う情報処理装置の構成の一例を示すブロック図。
【図６】本発明の第２実施形態に係る情報処理装置の画像の取得方法の一例を示す説明図。
【図７】本発明の第２実施形態に係る情報処理装置のタイトルの特定方法の一例を示す説明図。
【図８】本発明の第２実施形態に係る情報処理装置のタイトルの特定方法の他の一例を示す説明図。
【図９】本発明の第２実施形態に係る情報処理装置のコードの特定方法の他の一例を示す説明図。
【図１０】本発明の第３実施形態に係る情報処理装置の構成の一例を示すブロック図。
【図１１】本発明の第３実施形態に係る情報処理装置の操作方法の一例を示す説明図。
【図１２】本発明に係る情報処理装置が扱う電子番組情報であるＥＩＴの構造を示す説明図。
【図１３】本発明の第１実施形態に係る情報処理装置の処理方法の一例を示すフローチャート。
【図１４】本発明の第２実施形態に係る情報処理装置の処理方法の一例を示すフローチャート。
【図１５】本発明の第４実施形態に係る情報処理装置の構成の一例を示すブロック図。
【図１６】本発明の第４実施形態に係る情報処理装置の移動型通話部の構成の一例を示すブロック図。
【符号の説明】
【００７５】
１１…チューナ部、１２…ＴＳ・ＭＰＥＧ処理部、１３…グラフィック処理部、１４…混合器、１５…表示部、１６…通信部、１７…ＥＰＧ処理部、１８…制御部、１９…入力部、２０…データバス。
【図１】
2005110023.tif 000003
【図２】
2005110023.tif 000004
【図３】
2005110023.tif 000005
【図４】
2005110023.tif 000006
【図５】
2005110023.tif 000007
【図６】
2005110023.tif 000008
【図７】
2005110023.tif 000009
【図８】
2005110023.tif 000010
【図９】
2005110023.tif 000011
【図１０】
2005110023.tif 000012
【図１１】
2005110023.tif 000013
【図１２】
2005110023.tif 000014
【図１３】
2005110023.tif 000015
【図１４】
2005110023.tif 000016
【図１５】
2005110023.tif 000017
【図１６】
2005110023.tif 000018